(57)【要約】【課題】撮影装置の種類に変更が生じた場合に撮影室内で容易に放射線照射条件の変更操作を行うことを可能とする。【解決手段】本発明によれば、ＦＰＤ撮影装置１とＣＲ撮影装置２を備えた放射線画像撮影システム１００において、撮影室Ｒ１内に設けられた、撮影装置の種類の変更をコンソール５に通知する指示を入力するための操作手段、例えば、ＦＰＤカセッテ１ｂの起動スイッチ１２が操作されると、コンソール５は、操作手段から撮影装置の種類の変更指示が入力されたことを検知して放射線発生装置３の放射線照射条件等を変更先の撮影装置に応じた放射線照射条件等に変更する。【選択図】図４
2013005821.tif 000002
【特許請求の範囲】
【請求項１】
撮影室内に設けられ、被写体に放射線を照射する放射線発生装置と、
撮影室内に設けられ、前記放射線発生装置により照射されて前記被写体を透過した放射線画像を取得する複数種類の放射線検出部と、
撮影室外に設けられ、撮影に用いる前記複数種類の放射線検出部に対応する放射線照射条件を前記放射線発生装置に設定するコンソールと、
を備えた放射線画像撮影システムであって、
撮影室内に設けられ、前記撮影に用いる放射線検出部の種類に変更が生じた場合に、その旨を前記コンソールに通知する指示を入力するための操作手段を備え、
前記コンソールは、前記操作手段から放射線検出部の種類の変更を通知する指示が入力されたことを検知した場合に、前記放射線発生装置に設定された放射線照射条件を変更する、放射線画像撮影システム。
【請求項２】
前記複数種類の放射線検出部は、ＣＲ撮影装置とＦＰＤ撮影装置である請求項１に記載の放射線画像撮影システム。
【請求項３】
前記複数種類の放射線検出部は、互いにシンチレータ種の異なるＦＰＤを用いて撮影を行う撮影装置である請求項１に記載の放射線画像撮影システム。
【請求項４】
前記ＦＰＤ撮影装置は、可搬型のＦＰＤカセッテを用いて撮影を行う撮影装置であり、
前記操作手段は、前記ＦＰＤカセッテに設けられている請求項１または２に記載の放射線画像撮影システム。
【請求項５】
前記ＦＰＤ撮影装置は、ＦＰＤが撮影台に内蔵された撮影装置であり、
前記操作手段は、前記ＦＰＤ撮影装置に設けられている請求項１または２に記載の放射線画像撮影システム。
【発明の詳細な説明】
【技術分野】
【０００１】
本発明は、放射線画像撮影システムに関する。
【背景技術】
【０００２】
従来、病気診断等を目的として、Ｘ線画像に代表される、放射線を用いて撮影された放射線画像が広く用いられている。こうした医療用の放射線画像は、従来スクリーンフィルムを用いて撮影されていたが、近年は、放射線画像のデジタル化が実現されており、例えば、被写体を透過した放射線を輝尽性蛍光体層が形成された輝尽性蛍光体シートに蓄積させた後、この輝尽性蛍光体シートをレーザ光で走査し、これにより輝尽性蛍光体シートから発光される輝尽光を光電変換して画像データを得るＣＲ（Computed Radiography）撮影装置が広く普及している。
【０００３】
また、最近では、医療用の放射線画像を得る手段として、照射された放射線を検出しデジタル画像データとして取得するＦＰＤ（Flat Panel Detector）が知られており、ＦＰＤを用いた撮影装置が実用化されるようになってきた。
【０００４】
ＦＰＤ撮影装置は、例えば、照射された放射線を光に変換するシンチレータとこの光を電気信号に変換するフォトダイオード等の光電変換素子を有し、光電変換素子に蓄積された電気信号を読み出して画像データを得るようになっている。
【０００５】
ＦＰＤ撮影装置では、ＣＲ撮影装置と比較して少ない放射線量で同等の画質の画像を得ることができるため、患者の被曝量の低減が可能である。また、ＦＰＤの改良により、従来より感度が高く、より少ない放射線量で従来のＦＰＤと同等の画質の画像を得ることが可能なＦＰＤも登場している。
【０００６】
そのため、近年では、特許文献１に記載のように、ＣＲ撮影装置やＦＰＤ撮影装置が混在するシステムや、異なる種類のＦＰＤ装置が混在するシステムも利用されている。
【先行技術文献】
【特許文献】
【０００７】
【特許文献１】特開２００１−１４９３５８号公報
【発明の概要】
【発明が解決しようとする課題】
【０００８】
ところで、ＣＲ撮影装置とＦＰＤ撮影装置が混在するシステムにおいて、ＦＰＤ撮影装置に対してＣＲ撮影装置と同じ放射線量で撮影を行うと、本来ＦＰＤ撮影装置で診断に必要な画質の画像を得るために必要な線量に対して過剰に放射線が照射されてしまい、患者の被曝線量低減というメリットが得られなくなってしまうという問題がある。また、ＦＰＤ撮影装置はＣＲ撮影装置に比べてダイナミックレンジが狭いという特性があるため、過剰な放射線量で撮影を行うと画像の一部の画素の信号値が飽和してしまい、高精度な診断情報（画像）が得られなくなってしまう恐れがある。逆に、ＦＰＤ撮影装置に合わせた放射線量で撮影を行うと、ＣＲ撮影装置では線量が不十分であり、Ｓ／Ｎ比が低下するため画像処理を行っても、高精度な診断情報（画像）を得ることができない恐れがある。
異なる種類のＦＰＤ撮影装置が混在するシステムにおいても、同様の問題が発生する。
【０００９】
上記問題は、放射線発生装置を制御するコンソールにおいて、使用する撮影装置の種類に応じて最適な放射線照射条件を設定し、設定した放射線照射条件で撮影を行うことで解決することができる。コンソールは、技師等の撮影実施者の被曝を防止するため、撮影室外に設置されているのが通常である。しかし、コンソールにおいて一旦放射線照射条件を設定した後、撮影室内において撮影装置の変更が生じた場合、例えば、立位撮影用のＦＰＤ装置と臥位撮影用のＣＲ撮影装置が存在するシステムにおいて、立位の撮影を行う予定であったが患者が車椅子で立位では撮影できないので臥位のＣＲ撮影装置に変更する必要が生じたような場合、撮影実施者は、一旦撮影室を出てコンソールで放射線発生装置の放射線照射条件の設定を変更する操作が必要となり、効率的な撮影を行うことができない。
【００１０】
本発明の課題は、撮影装置の種類に変更が生じた場合に撮影室内で容易に放射線照射条件の変更操作が行えるようにすることである。
【課題を解決するための手段】
【００１１】
上記課題を解決するため、請求項１に記載の発明は、
撮影室内に設けられ、被写体に放射線を照射する放射線発生装置と、
撮影室内に設けられ、前記放射線発生装置により照射されて前記被写体を透過した放射線画像を取得する複数種類の放射線検出部と、
撮影室外に設けられ、撮影に用いる前記複数種類の放射線検出部に対応する放射線照射条件を前記放射線発生装置に設定するコンソールと、
を備えた放射線画像撮影システムであって、
撮影室内に設けられ、前記撮影に用いる放射線検出部の種類に変更が生じた場合に、その旨を前記コンソールに通知する指示を入力するための操作手段を備え、
前記コンソールは、前記操作手段から放射線検出部の種類の変更を通知する指示が入力されたことを検知した場合に、前記放射線発生装置に設定された放射線照射条件を変更する。
【００１２】
請求項２に記載の発明は、請求項１に記載の発明において、
前記複数種類の放射線検出部は、ＣＲ撮影装置とＦＰＤ撮影装置である。
【００１３】
請求項３に記載の発明は、請求項１に記載の発明において、
前記複数種類の放射線検出部は、互いにシンチレータ種の異なるＦＰＤを用いて撮影を行う撮影装置である。
【００１４】
請求項４に記載の発明は、請求項１または２に記載の発明において、
前記ＦＰＤ撮影装置は、可搬型のＦＰＤカセッテを用いて撮影を行う撮影装置であり、
前記操作手段は、前記ＦＰＤカセッテに設けられている。
【００１５】
請求項５に記載の発明は、請求項１または２に記載の発明において、
前記ＦＰＤ撮影装置は、ＦＰＤが撮影台に内蔵された撮影装置であり、
前記操作手段は、前記ＦＰＤ撮影装置に設けられている。
【発明の効果】
【００１６】
本発明によれば、撮影装置の種類に変更が生じた場合に撮影室内で容易に放射線照射条件の変更操作を行うことが可能となり、撮影を迅速に完了することができる。
【図面の簡単な説明】
【００１７】
【図１】本発明の第１の実施の形態における放射線画像撮影システムの全体構成例を示す図である。
【図２】図１のＦＰＤカセッテの機能的構成を示すブロック図である。
【図３】図１のコンソールの機能的構成を示すブロック図である。
【図４】図５の制御部により実行される放射線照射制御処理を示すフローチャートである。
【図５】本発明の２の実施の形態における放射線画像撮影システムの全体構成例を示す図である。
【発明を実施するための形態】
【００１８】
以下、本発明に係る放射線画像撮影システムの実施の形態について、図面を参照して説明する。ただし、本発明は以下の図示例のものに限定されるものではない。
【００１９】
［第１の実施の形態］
（放射線画像撮影システム１００の構成）
第１の実施形態に係る放射線画像撮影システム１００は、病院や医院内で行われる放射線画像撮影を想定したシステムであり、ＦＰＤ撮影装置１、ＣＲ撮影装置２、放射線発生装置３、無線アクセスポイント４、コンソール５を備えて構成されている。コンソール５は、通信ケーブル等を介してＦＰＤ撮影装置１、ＣＲ撮影装置２、放射線発生装置３のそれぞれに接続されている。また、コンソール５は、ＬＡＮ（Local Area Network）等のネットワークＮを介してＲＩＳ／ＨＩＳ（Radiology Information System／Hospital Information System）６、ＰＡＣＳ（Picture Archiving and Communication System）７にデータ通信可能に接続される。
【００２０】
図１に示すように、放射線画像撮影システム１００を構成する装置のうち、ＦＰＤ撮影装置１、ＣＲ撮影装置２、放射線発生装置３、無線アクセスポイント４は、放射線を遮蔽する撮影室Ｒ１に設けられている。患者相互の被曝防止の観点から、通常は撮影室Ｒ１には患者一人の状態で撮影を実施する。撮影室Ｒ１には、立位撮影用の撮影装置と臥位撮影用の撮影装置が１台ずつ設けられている。本実施の形態においては、ＦＰＤ撮影装置１は立位撮影用の撮影装置であり、ＣＲ撮影装置２は臥位撮影用の撮影装置であることとするが、逆であってもよい。また、コンソール５は、撮影実施者が放射線照射のための各種操作を行うものであり、撮影実施者の被曝防止の観点から、撮影室Ｒ１に隣接する前室Ｒ２に設けられている。
【００２１】
以下、放射線画像撮影システム１００を構成する各装置について説明する。
【００２２】
ＦＰＤ撮影装置１は、ＦＰＤを用いて立位の撮影を行う撮影装置である。ＦＰＤ撮影装置１は、立位撮影用の撮影台１ａに可搬型ＦＰＤ（ＦＰＤカセッテ１ｂという）が着脱可能に装填されたカセッテ型の撮影装置であってもよいし、立位撮影用の撮影台１ａにＦＰＤが内蔵された一体型のＦＰＤ専用機であってもよい。本実施の形態においては、カセッテ型の撮影装置として説明する。
【００２３】
図２に、ＦＰＤカセッテ１ｂの機能構成例を示す。図２に示すように、ＦＰＤカセッテ１ｂは、検出器制御部１１、起動スイッチ１２、検出部１３、画像記憶部１４、通信部１５、インジケータ１６、充電池１７、電源スイッチ１８等を備えて構成されている。
【００２４】
検出器制御部１１は、例えば、汎用のＣＰＵ（図示せず）及びＲＯＭ、ＲＡＭから構成されている。検出器制御部１１は、ＲＯＭに格納される所定のプログラムを読み出してＲＡＭの作業領域に展開し、当該プログラムに従ってＣＰＵが各種処理を実行するようになっている。本実施形態において、検出器制御部１１は、検出部１３を制御して、検出部１３により検出された画像信号を読み取り、この画像信号に基づいて放射線画像データを生成し、通信部１５によりコンソール５に送信する。
【００２５】
起動スイッチ１２は、ＦＰＤカセッテ１ｂを起動状態（ＯＮ）又は休止状態（ＯＦＦ）を切り換えるためのスイッチである。検出器制御部１１は、起動スイッチ１２がＯＮに切り換えられると、充電池１７から少なくとも検出部１３及び通信部１５を含む各部に電力を供給させ、検出部１３及び通信部１５を起動させる。起動スイッチ１２がＯＦＦに切り換えられると、検出器制御部１１は、充電池１７から少なくとも検出部１３及び通信部１５への電力供給を停止させ、検出部１３及び通信部１５を休止状態に切り換える。
【００２６】
検出部１３は、例えば、照射された放射線を光に変えるシンチレータ、フォトダイオード（光電変換素子）等で構成されシンチレータに捉えられた光を光電変換する光電変換部、各光電変換部にパルスを送り当該各光電変換部を走査・駆動させる走査駆動回路、光電変換部に蓄積された電気エネルギーを読み出す信号読出し回路等を備えて構成され、患者Ｍの被写体を透過した放射線を検出して画像信号を取得し、検出器制御部１１に出力する。
【００２７】
画像記憶部１４は、フラッシュメモリ等の書き換え可能なメモリ等で構成されている。
画像記憶部１４は、検出部１３で検出された画像信号に基づいて生成された画像データを記憶するものである。画像記憶部１４は内蔵型のメモリでもよいし、メモリカード等の着脱可能なメモリでもよい。画像記憶部１４の容量は特に限定されないが、複数枚分の画像データを保存可能な容量を有することが好ましい。
【００２８】
通信部１５は、コンソール５等の外部装置との間で各種信号の送受信を行う通信手段である。通信部１５は、図示しないアンテナ装置を備えており、無線方式にて無線アクセスポイント４を介してコンソール５等の外部装置との信号の送受信を行うようになっている。本実施の形態において、コンソール５からは定期的にポーリング信号が送信されるようになっており、通信部１５は、稼動時にはポーリング信号を受信可能であり、ポーリング信号を受信したときは、これに応答する応答信号を送信する。応答信号には、カセッテ番号等、カセッテを識別するための固有情報が含まれる。
【００２９】
インジケータ１６は、ＦＰＤカセッテ１ｂの状態や、充電池１７の充電残量等を表示するものである。
【００３０】
充電池１７は、検出器制御部１１の制御に基づいて、ＦＰＤカセッテ１ｂの各機能部に電力を供給する。充電池１７としては、例えばニッカド電池、ニッケル水素電池、リチウムイオン電池、小型シール鉛電池、鉛蓄電池等の充電自在な電池を適用することができる。
【００３１】
電源スイッチ１８は、ＦＰＤカセッテ１ｂの電源ＯＮ／ＯＦＦを切り換えるためのスイッチである。
【００３２】
ＣＲ撮影装置２は、輝尽性蛍光体シートを用いて臥位の撮影を行う撮影装置である。ＣＲ撮影装置２は、輝尽性蛍光体シートを内蔵した臥位撮影用の撮影台２ａ等を有し被写体を透過した放射線を輝尽性蛍光体シートに蓄積させる撮影装置と、輝尽性蛍光体シートをレーザ光で走査しこれにより輝尽性蛍光体シートから発光される輝尽光を光電変換して画像データを取得するリーダとが一体となったＣＲ専用機であってもよいし、可搬型の輝尽性蛍光体シート（ＣＲカセッテ２ｂという）を撮影台２ａに着脱可能な撮影装置と、リーダとが別体で構成されたカセッテ型の撮影装置であってもよい。カセッテ型の撮影装置である場合、撮影装置とリーダのそれぞれがコンソール５に接続されている。リーダにより取得された画像データは、コンソール５に送信される。
【００３３】
放射線発生装置３は、被写体に放射線を照射する放射線照射部であり、高圧電圧を発生する図示しない電圧発生源及び電圧発生源により高圧電圧が印加されると放射線を発生する放射線管（図示せず）が配設されている。また、放射線管の放射線照射口には、放射線照射範囲を調整する放射線絞り装置（図示せず）が設けられている。
放射線発生装置３は、例えば撮影室Ｒ１の天井からつり下げられており、撮影時にはコンソール５による制御に応じて撮影に使用されるＦＰＤ撮影装置１又はＣＲ撮影装置２に対向する位置に移動配置され、被写体に対して放射線を照射するようになっている。
尚、ＦＰＤ撮影装置１及びＣＲ撮影装置２に、それぞれ専用の放射線発生装置３を設けるようにしても良い。
【００３４】
また、放射線発生装置３は、コンソール５から送信された放射線照射条件を受信し、受信した放射線照射条件を保持（記憶）する。放射線照射条件は、例えば、放射線管の管電流の値、管電圧の値、フィルタ種、放射線照射時間等である。そして、コンソール５に設けられた照射タイミングを指示するスイッチの押下により放射線照射の指示信号を受信すると、放射線発生装置３ではコンソール５から受信された放射線照射条件に基づいて所定量の放射線が所定時間照射されるようになっている。
尚、照射タイミングを指示するスイッチはコンソール５でなく放射線発生装置３に設けられ、このスイッチの押下により、あらかじめコンソール５から受信された放射線照射条件に基づいて所定量の放射線が所定時間照射されるようにしても良い。
【００３５】
コンソール５は、ＲＩＳ／ＨＩＳ６から撮影オーダ情報を取得し、取得された撮影オーダ情報の中から撮影実施者の操作により指定された撮影オーダ情報に基づいて、撮影に用いる撮影装置を自動選択する。そして、選択された撮影装置の種類に応じた放射線照射条件を放射線発生装置３に送信して設定する。撮影実施者の放射線照射スイッチの操作により放射線照射が指示されると、放射線発生装置３に設定された放射線照射条件で被写体への放射線照射を行わせる。また、撮影装置から受信した画像データに画像処理を施して表示部に表示したり、ＰＡＣＳ７に送信したりする。
尚、上記自動選択方式に替わり、撮影オーダ情報の選択と、選択された撮影オーダ情報の撮影実施に使用する撮影装置種や撮影方法（撮影条件）等の選択を、コンソールから技師等の操作者に入力させ、入力情報に対応する放射線照射条件を設定することとしてもよい。
【００３６】
図３に、コンソール５の要部構成例を示す。図３に示すように、コンソール５は、ＣＰＵ（Central Processing Unit）等で構成される制御部５１、記憶部５２、入力部５３、表示部５４、無線通信部５５、ネットワーク通信部５６、Ｉ／Ｆ５７等を備えて構成されており、各部はバス５８により接続されている。
【００３７】
制御部５１は、ＣＰＵ、ＲＡＭ等により構成される。制御部５１のＣＰＵは、記憶部５２に記憶されているシステムプログラムや処理プログラム等の各種プログラムを読み出してＲＡＭに展開し、展開されたプログラムに従って各種処理を実行するコンソール５の制御手段である。
例えば、制御部５１は、後述する放射線照射制御処理を実行する。また、制御部５１は、所定時間毎にネットワーク通信部５６を介してＲＩＳ／ＨＩＳ６に問い合わせを行い、新たにＲＩＳ／ＨＩＳ６で登録された撮影オーダ情報を取得する。
【００３８】
記憶部５２は、例えばＨＤＤ（Hard Disk Drive）や半導体の不揮発性メモリ等で構成されている。記憶部５２には、画像データから患部を検出するための自動部位認識に基づく階調処理・周波数処理等の画像処理を行うためのプログラム等、各種のプログラムが記憶されているほか、撮影画像の画像データを診断に適した画質に調整するための画像処理パラメータ（階調処理に用いる階調曲線を定義したルックアップテーブル、周波数処理の強調度等）等が記憶されている。
【００３９】
また、記憶部５２には、照射条件テーブル５２１が記憶されている。照射条件テーブル５２１には、撮影部位毎に、ＦＰＤ撮影装置１用とＣＲ撮影装置２用のそれぞれの放射線照射条件が記憶されている。ここで、一般的に、ＦＰＤでは、ＣＲと比較して低い放射線照射量でＣＲと同等の画質を得ることができる。そこで、照射条件テーブル５２１には、放射線発生装置３における照射放射線量がＦＰＤ撮影装置１＜ＣＲ撮影装置２となるように、それぞれの放射線照射条件が設定されている。
なお、照射条件テーブル５２１には、撮影部位毎に、基準となる撮影装置（例えば、ＣＲ撮影装置２）の放射線照射条件と、他方の撮影装置（例えばＦＰＤ撮影装置１）の照射条件算出用の補正値（例えば、照射時間を基準の５０％とする等）が記憶されることとしてもよい。
【００４０】
また、記憶部５２には、撮影装置決定テーブル５２２が記憶されている。撮影装置決定テーブル５２２には、立位、臥位のそれぞれに対応する撮影装置の種類の情報が記憶されている。本実施の形態では、立位にＦＰＤ撮影装置１が、臥位にＣＲ撮影装置２が対応付けられている。
【００４１】
入力部５３は、文字入力キー、数字入力キー、及び各種機能キー等を備えたキーボードと、マウス等のポインティングデバイスを備えて構成され、キーボードで押下操作されたキーの押下信号とマウスによる操作信号とを、入力信号として制御部５１に出力する。また、入力部５３は、撮影実施者が放射線照射の指示を入力するための放射線照射スイッチを備えている。
【００４２】
表示部５４は、例えば、ＣＲＴ（Cathode Ray Tube）やＬＣＤ（Liquid Crystal Display）等のモニタを備えて構成されており、制御部５１から入力される表示信号の指示に従って、各種画面を表示する。
なお、表示部５４の画面上に、透明電極を格子状に配置した感圧式（抵抗膜圧式）のタッチパネル（図示せず）を形成し、表示部５４と入力部５３とが一体に構成されるタッチスクリーンとしてもよい。この場合、タッチパネルは、手指やタッチペン等で押下された力点のＸＹ座標を電圧値で検出し、検出された位置信号が操作信号として制御部５１に出力されるように構成される。なお、表示部５４は、一般的なＰＣ（Personal Computer）
に用いられるモニタよりも高精細のものであってもよい。
【００４３】
無線通信部５５は、無線アクセスポイント４を介してＦＰＤ撮影装置１のＦＰＤカセッテ１ｂと情報の送受信を行うものである。本実施形態において、無線通信部５５は無線アクセスポイント４を介して定期的にＦＰＤカセッテ１ｂに対してポーリング信号を送信する。
【００４４】
ネットワーク通信部５６は、ネットワークインターフェース等により構成され、スイッチングハブを介してネットワークＮに接続された外部機器との間でデータの送受信を行う。
Ｉ／Ｆ５７は、ＦＰＤ撮影装置１、ＣＲ撮影装置２、放射線発生装置３のそれぞれと通信ケーブルを介して接続するためのインターフェースである。
【００４５】
ＲＩＳ／ＨＩＳ６は、問診結果等に基づくオペレータによる登録操作に応じて撮影オーダ情報を生成する。撮影オーダ情報は、例えば被写体となる患者の氏名等の患者情報や、撮影部位、撮影方向、体位（立位、臥位）、撮影方法等の撮影予約に関する情報等を含んでいる。なお、撮影オーダ情報はここに例示したものに限定されず、これ以外の情報を含んでいてもよいし、上記に例示した情報のうちの一部でもよい。
ＰＡＣＳ７は、コンソール５から出力された画像データを保存する。
【００４６】
（放射線画像撮影システム１００の動作）
次に、放射線画像撮影システム１００の動作について、技師等の撮影実施者の作業と併せて説明する。
図４に、コンソール５により実行される放射線照射制御処理のフローチャートを示す。放射線照射制御処理は、制御部５１と記憶部５２に記憶されているプログラムとの協働により実行される。
【００４７】
まず、撮影実施者は、前室Ｒ２において、コンソール５の入力部５３を操作して撮影オーダ情報の一覧を表示する撮影オーダリスト画面を表示部５４に表示させる。そして、入力部５３を操作することにより撮影オーダリスト画面から撮影対象の撮影オーダ情報を指定する。
【００４８】
コンソール５においては、入力部５３により撮影対象の撮影オーダ情報が指定されると（ステップＳ１）、記憶部５２の撮影装置決定テーブル５２２が参照され、指定された撮影オーダ情報に応じた撮影装置（ＦＰＤ撮影装置１又はＣＲ撮影装置２）が選択される（ステップＳ２）。そして、記憶部５２の照射条件テーブル５２１が参照され、選択された撮影装置に対応する放射線照射条件の情報がＩ／Ｆ５７を介して放射線発生装置３に送信されて設定される（ステップＳ３）。
【００４９】
撮影実施者は、撮影対象の撮影オーダ情報を指定すると、撮影室Ｒ１に移動し、撮影に用いる撮影装置の撮影台の高さを調整する等して患者Ｍの被写体となる部位を撮影台に配置する。撮影台の高さの調整値はコンソール５に出力され、コンソール５により放射線発生装置３の位置が制御される。このとき、例えば、撮影オーダ情報では立位で撮影することとなっているが患者Ｍが車椅子を使用していて立つことができない等、撮影装置の種類を変更する必要が生じる場合がある。この場合、撮影実施者は、撮影装置の種類の変更をコンソール５に通知するための操作を行う。本実施の形態においては、撮影装置の種類の変更をコンソール５に通知することを指示するための操作手段として、起動スイッチ１２を用いる。例えば、ＦＰＤ撮影装置１からＣＲ撮影装置２に変更する場合には、ＦＰＤカセッテ１ｂの起動スイッチ１２をＯＮからＯＦＦに切り換え操作する。ＣＲ撮影装置２からＦＰＤ撮影装置１に変更する場合は、ＦＰＤカセッテ１ｂの起動スイッチ１２をＯＦＦからＯＮに切り換え操作する。なお、撮影装置の種類の変更を通知するためのスイッチとして、電源スイッチ１８を用いてもよい。即ち、ＦＰＤ撮影装置１からＣＲ撮影装置２に変更する場合には、ＦＰＤカセッテ１ｂの電源スイッチ１８をＯＮからＯＦＦに切り換え、ＣＲ撮影装置２からＦＰＤ撮影装置１に変更する場合は、ＦＰＤカセッテ１ｂの電源スイッチ１８をＯＦＦからＯＮに切り換え操作するようにしてもよい。
【００５０】
コンソール５においては、撮影装置の種類の変更が検知されたか否かの判断が行われる（ステップＳ４）。例えば、ステップＳ２において撮影装置としてＦＰＤ撮影装置１が選択された場合においては、無線通信部５５によるＦＰＤカセッテ１ｂへのポーリング信号に対する応答信号が受信されている状態から無応答になったことが検知されると、撮影装置の種類の変更が検知されたと判断される。ステップＳ２において撮影装置としてＣＲ撮影装置２が選択された場合においては、無線通信部５５によるＦＰＤカセッテ１ｂへのポーリング信号に対する応答信号が無応答から応答受信状態となったことが検知されると、撮影装置の種類の変更が検知されたと判断される。
【００５１】
撮影装置の種類の変更が検知されていないと判断されると（ステップＳ４；ＮＯ）、撮影に用いる撮影装置の種類及び撮影実施者による位置調整に応じて、放射線発生装置３の位置が調整される（ステップＳ６）。そして、入力部５３の放射線照射スイッチが押下されたか否かが判断され（ステップＳ７）、放射線照射スイッチが押下されていないと判断されると（ステップＳ７；ＮＯ）、処理はステップＳ４に戻る。放射線照射スイッチが押下されたと判断されると（ステップＳ７；ＹＥＳ）、放射線発生装置３に放射線照射の指示信号が送信され、設定された放射線照射条件で放射線が照射され（ステップＳ８）、放射線照射制御処理は終了する。
【００５２】
一方、撮影装置の種類の変更が検知されたと判断されると（ステップＳ４；ＹＥＳ）、ステップＳ２で選択された装置とは異なる他方の撮影装置に対応する放射線照射条件が放射線発生装置３に送信され、放射線発生装置３の放射線照射条件が設定変更される（ステップＳ５）。また、撮影に用いる撮影装置の種類及び撮影実施者による位置調整に応じて、放射線発生装置３の位置が調整される（ステップＳ６）。そして、入力部５３の放射線照射スイッチが押下されたか否かが判断され（ステップＳ７）、放射線照射スイッチが押下されていないと判断されると（ステップＳ７；ＮＯ）、処理はステップＳ４に戻る。放射線照射スイッチが押下されたと判断されると（ステップＳ７；ＹＥＳ）、Ｉ／Ｆ５７を介して放射線発生装置３に放射線照射の指示信号が送信され、設定された放射線照射条件で放射線が照射され（ステップＳ８）、放射線照射制御処理は終了する。
【００５３】
以上のように、第１の実施の形態においては、ＦＰＤ撮影装置１とＣＲ撮影装置２を備えた放射線画像撮影システム１００において、コンソール５での撮影装置の選択後に撮影室Ｒ１内に設けられた、撮影装置の種類の変更をコンソール５に通知する指示を入力するための操作手段、例えば、ＦＰＤカセッテ１ｂの起動スイッチ１２が操作されると、コンソール５は、操作手段から撮影装置の種類の変更指示が入力されたことを検知して放射線発生装置３の放射線照射条件等を変更先の撮影装置に応じた放射線照射条件等に変更する。従って、撮影実施者は、撮影室Ｒ１において、例えば、患者が車椅子である、撮影装置が故障している等の理由により撮影装置の種類を変更しなければならなくなった場合においても、従来のように撮影室Ｒ１から出てコンソール５を操作して放射線照射条件を手動で変更する必要がなく、撮影室Ｒ１内で容易に放射線照射条件の変更操作を行うことが可能となる。その結果、撮影装置の変更が生じてもスムーズに撮影を進行させることが可能となり、撮影効率を向上させることが可能となる。
【００５４】
なお、一人の患者に対し、例えば、胸部正面と胸部側面のように、２つの撮影オーダがある場合、上記実施の形態においては、１回の放射線照射毎に撮影装置の種類の変更操作が必要となる。しかし、同一の撮影装置を使用する場合は、これでは操作が煩雑である。そこで、コンソール５の入力部５３に、条件継続ボタン／条件解除ボタン等を設け、放射線照射ボタンの押下のために撮影実施者が前室Ｒ２にきたとき等にこの条件継続ボタンが押下されたら、その後解除されるまでは同じ撮影装置を使用する条件で放射線発生装置３を制御するようにしてもよい。
【００５５】
また、上記第１の実施の形態においては、撮影装置の種類の変更をコンソール５に通知する指示を入力するための操作手段としてＦＰＤカセッテ１ｂの起動スイッチ１２又は電源スイッチ１８を用いることとしたが、ＦＰＤ撮影装置１の撮影台１ａを含む本体が簡易操作部１ｃを備える構成とし、この簡易操作部１ｃから撮影装置の種類の変更の指示を入力可能な構成としてもよい。また、ＣＲ撮影装置２の撮影台２ａを含む本体が簡易操作部２ｃを備える構成とし、この簡易操作部２ｃから撮影装置の種類の変更の指示を入力可能な構成としてもよい。この場合、簡易操作部１ｃ（２ｃ）から撮影装置の種類の変更の指示が入力されると、ＦＰＤ撮影装置１（ＣＲ撮影装置２）は撮影装置の種類の変更を通知する通知信号をコンソール５に出力し、コンソール５は、図４のステップＳ４において、ＦＰＤ撮影装置１（ＣＲ撮影装置２）からの通知信号の受信を検知すると、撮影装置の種類を変更する。
このような構成とすれば、ＦＰＤ撮影装置１がＦＰＤ専用機であってもコンソール５は上記放射線照射制御処理を実行することが可能となる。
【００５６】
[第２の実施の形態]
次に、本発明の第２の実施の形態について説明する。
まず、第２の実施の形態の構成について説明する。
図５に、第２の実施の形態における放射線画像撮影システム２００の全体構成を示す。図５に示すように、第２の実施の形態における放射線画像撮影システム２００は、立位撮影用のＦＰＤ撮影装置８と、臥位撮影用のＦＰＤ撮影装置９と、放射線発生装置３と、無線アクセスポイント４と、コンソール５とを備えて構成されている。ＦＰＤ撮影装置８、ＦＰＤ撮影装置９、放射線発生装置３及び無線アクセスポイント４は、撮影室Ｒ１に設けられている。コンソール５は、前室Ｒ２に設けられている。コンソール５は、通信ケーブル等を介してＦＰＤ撮影装置８、ＦＰＤ撮影装置９、放射線発生装置３のそれぞれに接続されている。また、コンソール５は、ネットワークＮを介してＲＩＳ／ＨＩＳ６及びＰＡＣＳ７にデータ送受信可能に接続される。
【００５７】
本実施の形態において、ＦＰＤ撮影装置８とＦＰＤ撮影装置９に用いられる検出部は、互いにシンチレータ種が異なる。即ち、ＦＰＤ撮影装置８又はＦＰＤ撮影装置９の何れか一方に用いられる検出部のシンチレータ種がＣｓＩ（ヨウ化セシウム）である場合、他方のシンチレータ種はＧＯＳ（希土類蛍光体）である。本実施の形態においては、ＦＰＤ撮影装置８がＣｓＩ、ＦＰＤ撮影装置９がＧＯＳとして説明する。
なお、ＦＰＤ撮影装置８とＦＰＤ撮影装置９は、双方が上述のカセッテ型の撮影装置であっても一体型の専用機であってもよいし、カセッテ型と一体型が混在していてもよい。
【００５８】
放射線画像撮影システム２００の各装置の構成は、第１の実施の形態で説明したものと略同様であるが、コンソール５の記憶部５２には、照射条件テーブル５２３、撮影装置決定テーブル５２４が記憶されている。
【００５９】
照射条件テーブル５２３には、撮影部位毎に、ＦＰＤ撮影装置８用とＦＰＤ撮影装置９用のそれぞれの放射線照射条件が記憶されている。ここで、ＣｓＩとＧＯＳでは、ＣｓＩの方が感度が高い。そのため、ＦＰＤ撮影装置８ではＦＰＤ撮影装置９よりも低い照射線量でＦＰＤ撮影装置９と同等の画質を得ることができる。そこで、放射線発生装置３における照射放射線量がＦＰＤ撮影装置８＜ＦＰＤ撮影装置９となるように、それぞれの放射線照射条件が設定されている。
なお、照射条件テーブル５２３には、撮影部位毎に、基準となる撮影装置（例えば、ＦＰＤ撮影装置９）の放射線照射条件と、他方の撮影装置（例えばＦＰＤ撮影装置８）の照射条件算出用の補正値（例えば、照射時間を基準の５０％とする等）が記憶されることとしてもよい。                                    
【００６０】
撮影装置決定テーブル５２４には、立位、臥位のそれぞれに対応する撮影装置の種類が記憶されている。本実施の形態では、立位にＦＰＤ撮影装置８が、臥位にＦＰＤ撮影装置９が対応付けられている。
【００６１】
その他の放射線画像撮影システム２００の構成については、第１の実施の形態で説明したものと同様であるので説明を省略する。
【００６２】
次に、第２の実施の形態における動作について説明する。
放射線画像撮影システム２００の動作は、第１の実施形態で説明したものと同様である。即ち、コンソール５では、図４に示す放射線照射制御処理が実行される。第２の実施の形態における放射線照射制御処理は、処理中で照射条件テーブル５２３や撮影装置決定テーブル５２４が参照されるほかは、第１の実施の形態と同様であるので説明を省略する。
放射線照射制御処理を実行することによって、コンソール５は、シンチレータ種の異なるＦＰＤ撮影装置８、９を備えた放射線撮影システム２００において、撮影に使用する撮影装置が変更となった場合に、撮影室Ｒ１内における撮影装置変更操作に応じて放射線発生装置３の放射線照射条件を変更先の撮影装置に応じた放射線照射条件に変更する。
【００６３】
撮影装置の種類の変更の指示を入力するための操作手段としては、第１の実施の形態と同様、ＦＰＤカセッテの起動スイッチや電源スイッチ、又は撮影装置に備えられた簡易操作部が用いられる。
【００６４】
以上のように、第２の実施の形態においては、シンチレータ種の異なるＦＰＤ撮影装置を備えた放射線画像撮影システム２００において、コンソール５での撮影装置の選択後に、撮影室Ｒ１内に設けられた、撮影装置の種類の変更をコンソール５に通知する指示を入力するための操作手段、例えば、ＦＰＤカセッテの起動スイッチ、電源スイッチ、又は撮影装置に備えられた簡易操作部等が操作されると、コンソール５は、操作手段から撮影装置の種類の変更指示が入力されたことを検知して放射線発生装置３の放射線照射条件等を変更先の撮影装置に応じた放射線照射条件等に変更する。従って、撮影実施者は、撮影室Ｒ１において、例えば、患者が車椅子である、撮影装置が故障している等の理由により撮影装置の種類を変更しなければならなくなった場合においても、従来のように撮影室Ｒ１から出てコンソール５を操作して放射線照射条件を手動で変更する必要がなく、撮影室Ｒ１内で容易に放射線照射条件の変更操作を行うことが可能となる。その結果、撮影装置の変更が生じてもスムーズに撮影を進行させることが可能となり、撮影効率を向上させることが可能となる。
【００６５】
なお、上述した第１及び第２の実施の形態における記述は、本発明に係る好適な放射線画像撮影システムの一例であり、これに限定されるものではない。
例えば、上記第１及び第２の実施の形態においては、最も好ましい形態として撮影装置を２台として説明したが、３台以上備える構成としてもよい。この場合、撮影装置に備えた簡易操作部からどの撮影装置に変更するか（変更先）を入力可能な構成とし、コンソール５に変更先となる撮影装置を通知することとすれば、コンソール５において、変更先の撮影装置に対応する放射線照射条件を放射線発生装置３に設定することが可能となる。
【００６６】
また、上記実施の形態においては、操作手段として、ＦＰＤカセッテの起動スイッチや電源スイッチ、撮影装置に備えられた簡易操作部等を使用することとして説明したが、撮影室Ｒ１内に備えられているのであれば、撮影装置とは別体の操作装置であってもよい。
【００６７】
また、ＦＰＤは、上記に挙げたシンチレータ種のほか、直接型と間接型の違いによっても感度は異なる。これらの種類が互いに異なるＦＰＤ撮影装置が混在するシステムにおいても、本発明を適用することができる。
【００６８】
その他、放射線画像撮影システムを構成する各装置の細部構成及び細部動作に関しても、本発明の趣旨を逸脱することのない範囲で適宜変更可能である。
【符号の説明】
【００６９】
１００  放射線画像撮影システム
１  ＦＰＤ撮影装置
１ａ  撮影台
１ｂ  ＦＰＤカセッテ
１１  検出器制御部
１２  起動スイッチ
１３  検出部
１４  画像記憶部
１５  通信部
１６  インジケータ
１７  充電池
１８  電源スイッチ
１ｃ  簡易操作部
２  ＣＲ撮影装置
２ａ  撮影台
２ｂ  ＣＲカセッテ
２ｃ  簡易操作部
３  放射線発生装置
４  無線アクセスポイント
５  コンソール
５１  制御部
５２  記憶部
５２１、５２３  照射条件テーブル
５２２、５２４  撮影装置決定テーブル
５５  無線通信部
５６  ネットワーク通信部
５７  Ｉ／Ｆ
５８  バス
６  ＲＩＳ／ＨＩＳ
７  ＰＡＣＳ
８  ＦＰＤ撮影装置
９  ＦＰＤ撮影装置
Ｎ  ネットワーク
【図１】
2013005821.tif 000003
【図２】
2013005821.tif 000004
【図３】
2013005821.tif 000005
【図４】
2013005821.tif 000006
【図５】
2013005821.tif 000007